(57)【要約】      （修正有）【課題】有利な消費システム、および、その消費方法を提供する。【解決手段】アプリケーションサーバー１４、取引サーバ１２は、同時に、少なくともひとつの移動設備信号と接続し、移動設備１６はディスプレイを有し、アプリケーションサーバー１４に対応するアプリケーションプログラムを組み込んでいる。アプリケーションサーバー１４は、アプリケーションプログラムを利用して、ディスプレイ上で、企業相関情報を表示し、移動設備１６は、アプリケーションサーバー中から、対応する電子クーポン券を取得する。移動設備１６は、企業相関情報にしたがって、対応する商品データを取得して、電子クーポン券により、取引サーバ１２と、消費取引行為を完成し、取引サーバ１２は、電子クーポン券に基づいて、使用者に、ギフトフィードバックサービスを提供して、消費能力を刺激すると同時に、企業のクーポン券製作コストを減少させる。【選択図】図１
2016103256.tif 000002
【特許請求の範囲】
【請求項１】
有利な消費システムであって、
世界各国の複数の企業の相関情報を保存する少なくともひとつの企業データベースと、
それぞれ、前記企業相関情報に対応する企業に対応する複数の取引サーバと、
前記企業データベースと接続すると共に、前記取引サーバと信号で接続するアプリケーションサーバーと、
前記アプリケーションサーバー、および、前記取引サーバと信号で接続し、前記アプリケーションサーバーに対応するアプリケーションプログラムを組み込んで、ディスプレイを有し、前記アプリケーションサーバーが、前記アプリケーションプログラムを利用して、前記ディスプレイ上で、前記企業相関情報を表示して、使用者に見せ、前記アプリケーションサーバー中から、対応する電子クーポン券を取得すると共に、前記企業相関情報にしたがって、対応する商品データを取得し、前記商品データ、および、前記電子クーポン券を利用して、前記取引サーバと消費取引行為を完成し、且つ、前記取引サーバが、前記電子クーポン券に基づいて、前記使用者に対し、ギフトフィードバックサービスを提供する少なくともひとつの移動設備と、を有することを特徴とする、
有利な消費システム。
【請求項２】
前記ギフトフィードバックサービスは、前記取引サーバが、前記使用者が貯めたフィードバックポイントに対し前記使用者に使用してもらうサービスであることを特徴とする請求項１に記載の有利な消費システム。  
【請求項３】
前記企業相関情報は実体商店相関情報、各前記実体の商店相関情報の実体の商店は前記企業、前記商品データは前記実体の商店中の実体商品データで、前記移動設備は、前記実体商品データを読み取ると共に、前記取引サーバに送信して、前記消費取引行為を完成することを特徴とする請求項１に記載の有利な消費システム。
【請求項４】
前記移動設備は、さらに、前記アプリケーションサーバー中から、対応する電子割引クーポンを取得して、前記使用者の前記実体商品データに対応する実体商品を購入する価格を割り引くことを特徴とする請求項３に記載の有利な消費システム。
【請求項５】
前記実体商品データは、商品番号やバーコードであることを特徴とする請求項３に記載の有利な消費システム。
【請求項６】
前記消費取引行が対応する前記取引サーバは、第一金額を前記アプリケーションサーバーが対応するアカウントに保存することを特徴とする請求項３に記載の有利な消費システム。  
【請求項７】
前記アプリケーションサーバーは、前記アプリケーションプログラムを利用して、前記ディスプレイ上で、前記実体の商店の第一広告情報を表示することを特徴とする請求項６に記載の有利な消費システム。
【請求項８】
前記第一金額が高くなるほど、対応する前記第一広告情報が、すべての前記第一広告情報中にあり、前記ディスプレイ上で表示される順序が前面になることを特徴とする請求項７に記載の有利な消費システム。  
【請求項９】
前記移動設備は自己所在位置を検出し、前記アプリケーションサーバーは、前記アプリケーションプログラムを利用して、前記位置を取得し、前記アプリケーションプログラムを利用して、前記ディスプレイ上で、前記位置に対応する前記実体の商店相関情報、および、表示される前記実体の商店相関情報が対応する前記実体の商店から前記位置までの交通方式を表示することを特徴とする請求項３に記載の有利な消費システム。
【請求項１０】
前記アプリケーションサーバーは、読み取られた前記実体商品データを記録すると共に、対応する高度な実体商品は、前記アプリケーションプログラムを利用して、前記ディスプレイ上で表示することを特徴とする請求項３に記載の有利な消費システム。
【請求項１１】
前記企業相関情報は商品相関情報、前記商品データは前記商品相関情報のネット商品、前記移動設備は前記ネット商品を選択すると共に、前記取引サーバに送信して、前記消費取引行為を完成することを特徴とする請求項１に記載の有利な消費システム。
【請求項１２】
前記消費取引行為が対応する前記取引サーバは、第二金額を、前記アプリケーションサーバーが対応するアカウントに保存することを特徴とする請求項１１に記載の有利な消費システム。
【請求項１３】
前記アプリケーションサーバーは、前記アプリケーションプログラムを利用して、前記ディスプレイ上で、前記企業の第二広告情報を表示することを特徴とする請求項１２に記載の有利な消費システム。
【請求項１４】
前記第二金額が高くなるほど、対応する前記第二広告情報が、すべての前記第二広告情報中にあり、前記ディスプレイ上で表示される順序が前面になることを特徴とする請求項１３に記載の有利な消費システム。
【請求項１５】
前記移動設備は、直接、前記商品データと前記電子クーポン券を、前記アプリケーションサーバーと接続する前記取引サーバに送信して、前記消費取引行為を完成することを特徴とする請求項１に記載の有利な消費システム。
【請求項１６】
前記消費取引行為は、現金取引、クレジットカード取引を利用する、または、第三者オンライン決済プラットフォームにより取引することを特徴とする請求項１に記載の有利な消費システム。
【請求項１７】
前記移動設備は、前記アプリケーションプログラムを利用して、第一需要を、前記アプリケーションサーバーに発信して、前記アプリケーションサーバーを駆動し、前記ディスプレイ上で、前記企業相関情報を表示することを特徴とする請求項１に記載の有利な消費システム。
【請求項１８】
更に、個人データベースを含み、前記アプリケーションサーバーを接続すると共に、前記使用者の個人データを保存し、前記アプリケーションサーバーは、前記個人データに基づくと共に、前記アプリケーションプログラムを利用して、前記ディスプレイ上で、前記使用者に適合する前記企業相関情報を表示することを特徴とする請求項１に記載の有利な消費システム。
【請求項１９】
前記個人データは、前記使用者の姓名、国籍、性別、学歴、職業、婚姻状況、年収、家族構成、搭乗フライト、旅行日時、旅行目的地、宿泊地、通信アカウントを含むことを特徴とする請求項１８に記載の有利な消費システム。
【請求項２０】
前記移動設備は、前記アプリケーションプログラムを利用して、第二需要を、前記アプリケーションサーバーに発信し、前記アプリケーションサーバーは、前記第二需要に基づいて、前記移動設備との間の即時通信チャネルを構築して、前記第二需要を満たすサービスを提供することを特徴とする請求項１に記載の有利な消費システム。
【請求項２１】
前記即時通信チャネルの通信方式は、テキスト通信か音声通信であることを特徴とする請求項２０に記載の有利な消費システム。
【請求項２２】
前記移動設備は、ｉＰａｄ（登録商標）、ノート型パソコン、スマートフォン、タブレットＰＣのいずれかであることを特徴とする請求項１に記載の有利な消費システム。
【請求項２３】
前記移動設備は、無線方式ルータにより、前記アプリケーションサーバー、および、前記取引サーバ信号と接続することを特徴とする請求項１に記載の有利な消費システム。
【請求項２４】
アプリケーションサーバーを利用して実行される有利な消費方法であって、
前記アプリケーションサーバーは、少なくともひとつの企業データベースを接続し、前記企業データベースは、世界各国の複数の企業の相関情報を保存し、前記企業相関情報の企業は、それぞれ、複数の取引サーバに対応し、前記アプリケーションサーバーと前記取引サーバは信号で接続し、前記アプリケーションサーバー、および、前記取引サーバは、同時に、少なくともひとつの移動設備信号と接続し、前記移動設備は、前記アプリケーションサーバーに対応するアプリケーションプログラムを組み込み、前記移動設備は、ディスプレイを有し、前記有利な消費方法は、
前記アプリケーションサーバーは、前記アプリケーションプログラムを利用して、前記ディスプレイ上で、前記企業相関情報を表示して、前記移動設備が属する使用者に見せ、且つ、前記移動設備は、前記アプリケーションサーバー中から、対応する電子クーポン券を取得する工程と、
前記移動設備は、前記企業相関情報にしたがって、対応する商品データを取得して、前記商品データ、および、前記電子クーポン券を利用して、前記取引サーバと消費取引行為を完成し、且つ、前記取引サーバは、前記電子クーポン券に基づいて、前記使用者に対し、ギフトフィードバックサービスを提供する工程と、を含むことを特徴とする、
有利な消費方法。
【請求項２５】
前記ギフトフィードバックサービスは、前記取引サーバが、前記使用者が貯めたフィードバックポイントに対し前記使用者に使用してもらうサービスであることを特徴とする請求項２４に記載の有利な消費方法。
【請求項２６】
前記企業相関情報は実体商店相関情報、各前記実体の商店相関情報の実体の商店は前記企業、前記商品データは前記実体の商店中の実体商品データで、且つ、前記移動設備が前記実体商品データを取得して、前記実体商品データを利用して、前記取引サーバと、前記消費取引行為を完成するステップ中、前記移動設備は、前記実体データを読み取ると共に、前記取引サーバに送信して、前記消費取引行為を完成することを特徴とする請求項２４に記載の有利な消費方法。
【請求項２７】
前記実体商品データは、商品番号やバーコードであることを特徴とする請求項２６に記載の有利な消費方法。
【請求項２８】
前記アプリケーションサーバーは、前記アプリケーションプログラムを利用して、前記ディスプレイ上で、前記実体の商店相関情報を表示するステップ中、前記移動設備は、自己所在位置を検出し、前記アプリケーションサーバーは、前記アプリケーションプログラムを利用して、前記位置を取得し、前記アプリケーションプログラムを利用して、前記ディスプレイ上で、前記位置に対応する前記実体の商店相関情報、および、表示される前記実体の商店相関情報が対応する前記実体の商店から前記位置までの交通方式を表示することを特徴とする請求項２６に記載の有利な消費方法。
【請求項２９】
更に、推薦商品を記録するステップを含み、前記アプリケーションサーバーは、読み取られた前記実体商品データを記録すると共に、対応する高度な実体商品は、前記アプリケーションプログラムを利用して、前記ディスプレイ上で表示することを特徴とする請求項２６に記載の有利な消費方法。
【請求項３０】
前記企業相関情報は商品相関情報、前記商品データは前記商品相関情報のネット商品で、且つ、前記移動設備が前記ネット商品を取得して、前記ネット商品を利用して、前記取引サーバと前記消費取引行為を完成するステップ中、前記移動設備は、前記ネット商品を選択すると共に、前記取引サーバに送信して、前記消費取引行為を完成することを特徴とする請求項２４に記載の有利な消費方法。
【請求項３１】
前記移動設備が、前記商品データ、および、前記電子クーポン券を利用して、前記取引サーバと、前記消費取引行為を完成するステップ中、前記移動設備は、直接、前記商品データと前記電子クーポン券を、前記アプリケーションサーバーと接続する前記取引サーバに送信して、前記消費取引行為を完成することを特徴とする請求項２４に記載の有利な消費方法。
【請求項３２】
前記消費取引行為は、クレジットカード取引を利用する、または、第三者オンライン決済プラットフォームにより取引することを特徴とする請求項２４に記載の有利な消費方法。
【請求項３３】
前記アプリケーションサーバーが、前記アプリケーションプログラムを利用して、前記ディスプレイ上で、前記企業相関情報を表示するステップ中、前記移動設備は、前記アプリケーションプログラムを利用して、需要を、前記アプリケーションサーバーに発信して、前記アプリケーションサーバーを駆動して、前記ディスプレイ上で、前記企業相関情報を表示することを特徴とする請求項２４に記載の有利な消費方法。
【請求項３４】
前記アプリケーションサーバーが、前記アプリケーションプログラムを利用して、前記ディスプレイ上で、前記企業相関情報を表示するステップ中、前記アプリケーションサーバーは、前記使用者の個人データに基づくと共に、前記アプリケーションプログラムを利用して、前記ディスプレイ上で、前記使用者に適合する前記企業相関情報を表示することを特徴とする請求項２４に記載の有利な消費方法。
【請求項３５】
前記個人データは、前記使用者の姓名、国籍、性別、学歴、職業、婚姻状況、年収、家族構成、搭乗フライト、旅行日時、旅行目的地、宿泊地、通信アカウントを含むことを特徴とする請求項３４に記載の有利な消費方法。
【請求項３６】
前記移動設備は、ｉＰａｄ（登録商標）、ノート型パソコン、スマートフォン、タブレットＰＣのいずれかであることを特徴とする請求項２４に記載の有利な消費方法。
【発明の詳細な説明】
【技術分野】
【０００１】
本発明は、消費技術に関するものであって、特に、有利な消費システム、および、その消費方法に関するものである。
【背景技術】
【０００２】
科学技術の発展に伴い、企業と消費者の間の情報交流や連絡経路が増加している。よって、企業は、商品のマーケティングを成功させるため、一般に、大々的なマーケティング活動を行い、その多くが、チラシを消費者に配ったり、テレビやラジオ等の媒体を利用して、企業のマーケティング活動を推進している。新規にバーゲン等が開始される場合は、それらを新たに作り直す必要があるので、かかる時間やコストも増加する。
【０００３】
現在、メッセージや電子メールでクーポンを消費者に送信する方法もあるが、消費者にとっては、各種クーポンを携帯するのは面倒であり、必要でなければ、クーポンを切り取ったり、印刷したり、集めたりしない。
メッセージや電子メールの方法以外に、企業は、新規のバーゲン情報などのデータを準備し、消費者が消費するのと同時に、直接、その場で、クーポンを消費者に渡して、消費者がクーポンを集める面倒を解消している。しかし、どのような方式を採取しても、同様に、消費者も不便で、企業もコストが増加する。
【０００４】
よって、本発明は、有利な消費システム、および、その消費方法を提供し、上述の問題を解決する。
【発明の概要】
【発明が解決しようとする課題】
【０００５】
本発明は、有利な消費システム、および、その消費方法を提供し、使用者に、著名で信頼できる商店を提供して、特に魅力がある商品情報を選択してもらい、フィードバックと代理購入サービスを提供して、使用者の知らない場所での消費要求を満足させると同時に、電子クーポン券を提供して、チラシクーポン券の製作コストを減少させることを目的とする。
【０００６】
本発明は、有利な消費システム、および、その消費方法を提供し、使用者が即時のサービスを必要とする時、ネットワークを通じ、直接、アプリケーションサーバーと連絡することにより、必要な情報を得ることを次の目的とする。
【課題を解決するための手段】
【０００７】
上述の目的を達成するため、本発明は、有利な消費システムを提供し、少なくともひとつの企業データベース、複数の取引サーバ、アプリケーションサーバー、および、少なくともひとつの移動設備を含む。企業データベースは、世界各国の複数の企業の相関情報を保存し、すべての取引サーバは、それぞれ、すべての企業相関情報に対応する企業に対応し、アプリケーションサーバーは、企業データベースと連結すると共に、取引サーバ、および、移動設備信号と接続し、移動設備と取引サーバ信号が接続する。移動設備はディスプレイを有し、アプリケーションサーバーに対応するアプリケーションプログラムを組み込んでおり、アプリケーションサーバーは、アプリケーションプログラムを利用して、移動設備のディスプレイ上で、企業相関情報を表示して、使用者に見せる。
移動設備は、アプリケーションサーバーから、対応する電子クーポン券を取得すると共に、企業相関情報に従って、対応する商品データを取得して、商品データ、および、電子クーポン券を利用して、取引サーバと消費取引行為を完成し、且つ、取引サーバは、電子クーポン券に基づいて、使用者にギフトフィードバックサービスを提供する。
このほか、移動設備は、アプリケーションプログラムを利用して、需要をアプリケーションサーバーに発信し、アプリケーションサーバーは、この需要に基づいて、移動設備との間の即時通信チャネルを構築して、この需要を満たすサービスを提供する。
【０００８】
本発明は、アプリケーションサーバーを用いて実行する有利な消費方法を提供し、アプリケーションサーバーは、少なくともひとつの企業データベースを連結し、企業データベースは、世界各国の複数の企業相関情報を保存し、すべての企業相関情報の企業は、それぞれ、複数の取引サーバに対応し、アプリケーションサーバー、および、取引サーバ信号は接続し、アプリケーションサーバー、および、取引サーバは、同時に、少なくともひとつの移動設備信号と接続し、移動設備は、アプリケーションサーバーに対応するアプリケーションプログラムを組み込んでいる。
まず、アプリケーションサーバーは、アプリケーションプログラムを利用して、移動設備のディスプレイ上で、企業相関情報を表示して、使用者に見せ、且つ、移動設備は、アプリケーションサーバーから、対応する電子クーポン券を取得する。続いて、移動設備は、企業相関情報に従って、対応する商品データを取得して、商品データ、および、電子クーポン券を利用して、取引サーバと消費取引行為を完成し、且つ、取引サーバは、電子クーポン券に基づいて、使用者に、ギフトフィードバックサービスを提供する。
【０００９】
上記及び他の目的及び本発明の特徴は、添付図面とともに以下の記載を参照することにより明らかとなる。
【発明の効果】
【００１０】
本発明は、移動設備のディスプレイ上に、自主的に、著名で信頼できる商店を提供し、特に魅力のある商品情報を選択してもらい、フィードバックと代理購入サービスを提供して、使用者の消費要求を満足させると同時に、電子クーポン券を提供して、チラシクーポン券の製作コストを減少させる。
【図面の簡単な説明】
【００１１】
【図１】本発明のシステムブロック図である。
【図２】本発明の第一実施例のフローチャートである。
【図３】本発明の第二実施例のフローチャートである。
【図４】本発明の第三実施例のフローチャートである。
【発明を実施するための形態】
【００１２】
図１と図２を参照し、本発明の第一実施例を説明する。本発明による有利な消費システムは、少なくともひとつの企業データベース１０、複数の取引サーバ１２、アプリケーションサーバー１４、少なくともひとつの移動設備（ｍｏｂｉｌｅ  ｄｅｖｉｃｅ）１６、および、個人データベース１８を含む。
企業データベース１０と移動設備１６の数量は、それぞれ一例であり、移動設備１６はユーザー装置、たとえば、ｉＰａｄ（登録商標）、ノート型パソコン、スマートフォン、または、タブレットＰＣである。アプリケーションサーバー１４は、企業データベース１０と個人データベース１８を接続すると共に、すべての取引サーバ１２、および、移動設備１６信号と接続する。アプリケーションサーバー１４、および、取引サーバ１２は、無線方式ルータにより、移動設備１６信号と接続し、この無線方式ルータの使用は、無料、または、有料で、さらに、直接、移動設備１６信号と接続し、無線方式ルータを通じなくてもよい。
企業データベース１０は、世界各国の複数の企業の相関情報を保存し、すべての取引サーバ１２は、それぞれ、すべての企業相関情報が対応する企業に対応する。これらの企業相関情報は、実体の商店の相関情報と商品相関情報を含み、且つ、企業相関情報が対応する企業は、各実体の商店相関情報の実体の商店と商品相関情報が対応する企業を含む。
個人データベース１８は、移動設備１６が属する使用者の個人データ、使用者の姓名、国籍、性別、学歴、職業、婚姻状況、年収、家族構成、搭乗フライト、旅行日時、旅行目的地、宿泊地と通信アカウント等を含み、通信アカウントは、ＬＩＮＥ（登録商標）、ＷＥＣＨＡＴ（登録商標）、ＷＨＡＴＳＡＰＰ（登録商標）、ＦＡＣＥＢＯＯＫ（登録商標）、ＱＱ、ツイッター（登録商標）、ＳＫＹＰＥ（登録商標）とＩＣＱ（登録商標）等である。
【００１３】
移動設備１６は、アプリケーションサーバー１４に対応するアプリケーションプログラムを組み込んでおり、アプリケーションサーバー１４は、アプリケーションプログラムを利用して、移動設備１６のディスプレイ上で、実体の商店の相関情報と商品相関情報、たとえば、著名で信頼できる商店を表示して、使用者に見せる。この実体の商店の相関情報と商品相関情報の表示方式は以下のようである。
一つ目は、移動設備１６が自分の所在位置を検出し、アプリケーションサーバー１４は、自主的に、アプリケーションプログラムを利用して、この位置を取得して、アプリケーションプログラムを用いて、移動設備１６のディスプレイ上で、この位置に対応する実体の商店相関情報、および、表示された実体の商店相関情報に対応する実体の商店からこの位置までの交通方式を示す。
二つ目は、アプリケーションサーバー１４は、使用者の個人データに基づくと共に、アプリケーションプログラムを用いて、自主的に、移動設備１６のディスプレイ上で、使用者に適合する実体の商店の相関情報と商品相関情報を示す。
三つ目に、移動設備１６は、アプリケーションプログラムを用いて、第一需要を、アプリケーションサーバー１４に発信して、アプリケーションサーバー１４を駆動し、移動設備１６のディスプレイ上で、実体の商店の相関情報と商品相関情報を表示する。
【００１４】
移動設備１６は、アプリケーションサーバー１４から、対応する電子クーポン券を取得すると共に、企業相関情報に従って、対応する商品データを取得する。この商品データは、特に魅力があり、且つ、実体の商店中の実体商品データと商品相関情報のネット商品を含んでいる必要があり、実体商品データは、商品コードやバーコードである。
移動設備１６は、実体商品データ、ネット商品、および、電子クーポンを利用して、取引サーバ１２と消費取引行為を完成する。消費取引行為は、現金取引、クレジットカード取引を利用する、または、第三者オンライン決済プラットフォームにより取引する。たとえば、実体商品データに対し、移動設備１６は、実体商品データを読み取ると共に、データと電子クーポン券を、直接、アプリケーションサーバー１４と接続する取引サーバ１２に送信して、消費取引行為を完成する。移動設備１６は、更に、アプリケーションサーバー１４から、対応する電子クーポン券を取得して、使用者が割引価格で購入できる。このほか、ネット商品に対し、同様に、移動設備１６は、ネット商品を選択すると共に、電子クーポン券と共に、直接、アプリケーションサーバー１４と接続する取引サーバ１２に送信して、消費取引行為を完成する。
【００１５】
このほか、移動設備１６が、実体商品データ、および、電子クーポン券を利用して、取引サーバ１２と消費取引行為を完成後、消費取引行為が対応する取引サーバ１２、即ち、消費取引行為が完成した取引サーバ１２は、第一金額をアプリケーションサーバー１４が対応するアカウントに保存する。
アプリケーションサーバー１４は、アプリケーションプログラムを利用して、移動設備１６のディスプレイ上で、すべての実体の商店の第一広告情報を表示することができるので、設定上、第一金額が高くなるほど、対応する第一広告情報がすべての第一広告情報中にあり、移動設備１６のディスプレイ上で表示される順序が前面になる。また、移動設備１６が、ネット商品を利用して、取引サーバ１２と消費取引行為が完成後、消費取引行為が対応する取引サーバ１２、即ち、消費取引行為が完成した取引サーバ１２は、第二金額を、アプリケーションサーバー１４が対応するアカウントに保存する。
アプリケーションサーバー１４は、アプリケーションプログラムを利用して、移動設備１６のディスプレイ上で、商品相関情報が対応する企業の第二広告情報を表示することができるので、設定上、第二金額が高くなるほど、対応する第二広告情報がすべての第二広告情報中にあり、移動設備１６のディスプレイ上で表示される順序が前面になる。つまり、某企業や実体の商店が、アプリケーションサーバー１４が対応するアカウントに与える金額が高くなるほど、アプリケーションサーバー１４が協賛する企業や実体の商店の広告露出率が高くなる。
【００１６】
取引サーバ１２は金額を支払う他、消費取引行為を完成する取引サーバ１２は、電子クーポン券に基づいて、使用者に、魅力あるギフトフィードバックサービスを提供する。たとえば、取引サーバ１２は、使用者が貯めたポイントに応じて、商品に交換、景品に交換、電子クーポン券進呈や抽選を行い、クーポン券を製作するコストを減少させる。
消費促進のため、アプリケーションサーバー１４は、取引サーバ１２により、移動設備１６により読み取られた実体商品データを記録すると共に、対応する高度な実体商品は、アプリケーションプログラムを用いて、移動設備１６のディスプレイ上で示され、使用者は、インターネット上で、注文できる。
【００１７】
このほか、移動設備１６は、アプリケーションプログラムを利用して、第二需要を、アプリケーションサーバー１４に発信し、アプリケーションサーバー１４は、第二需要に基づいて、移動設備１６との間の即時通信チャネルを構築する。その通信方式は、テキスト通信か音声通信で、第二需要を満たす専属サービスを提供する。これにより、使用者が即時のサービスを必要とする時、ネットワークにより、直接、アプリケーションサーバー１４とのホットラインにより、必要なメッセージを得る。
【００１８】
以下で、第一実施例の消費工程を紹介する。まず、ステップＳ１０に示されるように、アプリケーションサーバー１４は、アプリケーションプログラムを利用して、移動設備１６のディスプレイ上で、実体の商店の相関情報と商品相関情報を表示して、移動設備１６が属する使用者に見せ、且つ、移動設備１６は、アプリケーションサーバー１４中から、対応する電子クーポン券を得る。
移動設備１６のディスプレイ上で、実体の商店の相関情報と商品相関情報を表示する方式は、アプリケーションサーバー１４により、自主的に、情報を、移動設備１６に提供して表示するもの、移動設備１６は、需要をアプリケーションサーバー１４に発信して、アプリケーションサーバー１４に、さらに、情報を移動設備１６に提供して表示させるものがあり、以下で説明する。
第一種の表示方式中、実体の商店相関情報に対し、移動設備１６は、自己所在位置を検出することができ、アプリケーションサーバー１４は、自主的に、アプリケーションプログラムを利用して、この位置を取得して、アプリケーションプログラムを利用して、移動設備１６のディスプレイ上で、この位置に対応する実体の商店相関情報、および、表示される実体の商店相関情報が対応する実体の商店からこの位置までの交通方式を表示する。この交通方式は、たとえば、バス路線、汽車路線、地下鉄路線や飛行機のフライト等である。アプリケーションサーバー１４は、すでに、移動設備１６の現在の所在位置、および、移動設備１６を携帯する使用者が到達したい実体の商店の位置を知っているので、もっとも便利であり、最短経路や方式を移動設備１６に正確に提供することができる。このほか、即時通信チャネルと合わせて、専属スタッフによりサービスを組み合わせて、使用者の交通上の困難を解決する。
【００１９】
上述の表示方式以外に、第二種の表示方式があり、アプリケーションサーバー１４は、使用者の個人データに基づくと共に、アプリケーションプログラムを利用して、自主的に、移動設備１６のディスプレイ上で、使用者に適する実体の商店の相関情報と商品相関情報を表示することができる。たとえば、使用者が女性であるとき、アプリケーションサーバー１４は、ディスプレイで、  女性に適合する実体の商店の相関情報と商品相関情報を表示し、使用者が男性であるとき、アプリケーションサーバー１４は、ディスプレイで、男性に適合する実体の商店の相関情報と商品相関情報を表示することができる。
最後の一種は第三種の表示方式で、即ち、使用者は、移動設備１６を操作して、アプリケーションプログラムを用いて、第一需要を、アプリケーションサーバー１４に発信して、アプリケーションサーバー１４を駆動して、移動設備１６のディスプレイ上で、実体の商店の相関情報と商品相関情報を表示する。
【００２０】
続いて、ステップＳ１２に示されるように、移動設備１６は、実体の商店データと商品相関情報にしたがって、対応する実体商品データとネット商品を取得して、実体商品データ、ネット商品、および、電子クーポン券を利用して、取引サーバ１２と消費取引行為を完成する。且つ、消費取引行為を完成する取引サーバ１２は、電子クーポン券に基づいて、使用者に対し、ギフトフィードバックサービスを提供する。
消費取引行為は、使用者が、現金取引、クレジットカード取引を利用、または、第三者オンライン決済プラットフォームを通じて、商品費用を、割引価格で、取引サーバ１２が対応するアカウント中に保存する。まず、実体商品データの消費取引行為に対する説明は以下のようである：使用者が、移動設備１６のディスプレイ上の実体の商店相関情報を見た後、対応する実体の商店を探して進入すると共に、実体の商店中で、購買したい実体商品を見て、移動設備１６を操作し、実体商品データを読み取ると共に、電子クーポン券と、直接、アプリケーションサーバー１４と接続する取引サーバ１２に送信して、消費取引行為を完成する。ここで同時に、消費取引行為を完成する取引サーバ１２は、電子クーポン券に基づいて、使用者に対し、ギフトフィードバックサービスを提供する。
次に、ネット商品の消費取引行為に対する説明は以下のようである。使用者が、移動設備１６のディスプレイ上の商品相関情報を見た後、移動設備１６を操作して、このネット商品を選択すると共に、電子クーポン券と、直接、アプリケーションサーバー１４と接続する取引サーバ１２に送信して、消費取引行為を完成する。ここで同時に、消費取引行為を完成する取引サーバ１２は、電子クーポン券に基づいて、使用者に対し、ギフトフィードバックサービスを提供する。実体商品データとネット商品の消費取引行為完成後、アプリケーションサーバー１４は、個人データベース１８に基づいて、使用者の宿泊地を探し、一定期間中に、担当者を派遣して、この実体商品データが対応する実体商品、および、このネット商品の実体物をこの宿泊地に送る。
【００２１】
最後に、ステップＳ１４に示されるように、推薦商品を記録するステップにおいて、アプリケーションサーバー１４は、取引サーバ１２により、移動設備１６により読み取られた実体ネットデータを記録すると共に、対応する高度な実体商品は、アプリケーションプログラムを用いて、移動設備１６のディスプレイ上で表示して、使用者がネットで注文できるようにする。注文後、担当者を派遣して、注文した実体商品を、使用者の指定地点まで届けることもできる。第一実施例の工程中、ステップＳ１４は省略して、消費を完成することもできる。
【００２２】
続いて、本発明の第二実施例を紹介する。第一実施例との差異は、企業相関情報が実体の商店相関情報、企業相関情報の企業が実体の商店相関情報の実体の商店、商品データが実体の商店中の実体商品データであることである。
【００２３】
以下で、図１と図３を参照して第二実施例の消費工程を説明する。まず、ステップＳ１６に示されるように、アプリケーションサーバー１４は、アプリケーションプログラムを利用して、移動設備１６のディスプレイ上で、実体の商店相関情報を表示して、移動設備１６が属する使用者に見せ、且つ、移動設備１６は、アプリケーションサーバー１４から、対応する電子クーポン券を取得する。
移動設備１６のディスプレイ上で、実体の商店相関情報を表示する方式は、アプリケーションサーバー１４により、自主的に、情報を、移動設備１６に提供して表示するもの、移動設備１６が、需要を、アプリケーションサーバー１４に発信して、アプリケーションサーバー１４に、さらに、情報を、移動設備１６に提供して表示させるものがあり、以下で説明する。
第一種の表示方式中、移動設備１６は、自己所在位置を検出することができ、アプリケーションサーバー１４は、自主的に、アプリケーションプログラムを利用して、この位置を取得し、アプリケーションプログラムを利用して、移動設備１６のディスプレイ上で、この位置に対応する実体の商店相関情報、および、表示される実体の商店相関情報に対応する実体の商店からこの位置までの交通方式を表示する。この交通方式は、たとえば、バス路線、汽車路線、地下鉄路線や飛行機のフライト等である。アプリケーションサーバー１４は、すでに、移動設備１６の現在の所在位置、および、移動設備１６を携帯する使用者が到達したい実体の商店の位置を知っているので、もっとも便利である、または、最短経路や方式を、移動設備１６に正確に提供して、使用者に見せ、また、即時通信チャネルと合わせて、専属スタッフによりサービスを組み合わせて、使用者の交通上の困難を解決する。
第二種の表示方式中、アプリケーションサーバー１４は、使用者の個人データに基づくと共に、アプリケーションプログラムを利用して、自主的に、移動設備１６のディスプレイ上で、使用者に適する実体の商店の相関情報を表示することができる。たとえば、使用者が女性であるとき、アプリケーションサーバー１４は、ディスプレイで、女性に適合する実体の商店の相関情報を表示し、使用者が男性であるとき、アプリケーションサーバー１４は、ディスプレイで、男性に適合する実体の商店の相関情報を表示することができる。
第三種の表示方式中、使用者は、移動設備１６を操作して、アプリケーションプログラムを利用して、第一需要を、アプリケーションサーバー１４に発信して、アプリケーションサーバー１４を駆動して、移動設備１６のディスプレイ上で、実体の商店相関情報を表示する。
【００２４】
続いて、ステップＳ１８に示されるように、移動設備１６は、実体の商店データにしたがって、対応する実体商品データを取得し、実体商品データ、および、電子クーポン券を利用して、取引サーバ１２と消費取引行為を完成し、且つ、消費取引行為を完成した取引サーバ１２は、電子クーポン券に基づいて、使用者に対し、ギフトフィードバックサービスを提供する。
消費取引行為は、使用者が、現金取引、クレジットカード取引を利用、または、第三者オンライン決済プラットフォームを通じて、商品費用を、割引価格で、取引サーバ１２が対応するアカウント中に保存する。たとえば、使用者が、移動設備１６のディスプレイ上の実体の商店相関情報を見た後、対応する実体の商店を探して進入すると共に、実体の商店中で、購買したい実体商品を見て、移動設備１６を操作し、実体商品データを読み取ると共に、電子クーポン券と、直接、アプリケーションサーバー１４と接続する取引サーバ１２に送信して、消費取引行為を完成する。ここで同時に、消費取引行為を完成する取引サーバ１２は、電子クーポン券に基づいて、使用者に対し、ギフトフィードバックサービスを提供する。実体商品データの消費取引行為完成後、アプリケーションサーバー１４は、個人データベース１８に基づいて、使用者の宿泊地を探し、一定期間中に、担当者を派遣して、この実体商品データが対応する実体商品をこの宿泊地に送る。
【００２５】
最後に、ステップＳ２０に示されるように、推薦商品を記録するステップにおいて、アプリケーションサーバー１４は、取引サーバ１２により、移動設備１６により読み取られた実体ネットデータを記録すると共に、対応する高度な実体商品は、アプリケーションプログラムを用いて、移動設備１６のディスプレイ上で表示して、使用者がネットで注文できるようにし、且つ、注文後、担当者を派遣して、注文した実体商品を、使用者の指定地点まで届けることもできる。第二実施例の工程中、ステップＳ２０は省略して、消費を完成することもできる。
【００２６】
さらに、本発明の第三実施例を紹介し、第一実施例との差異は、企業相関情報が商品相関情報、企業相関情報の企業が商品相関情報の企業、商品データがネット商品であることである。
【００２７】
以下で、図１と図４を参照して第三実施例の消費工程を紹介する。まず、ステップＳ２２に示されるように、アプリケーションサーバー１４は、アプリケーションプログラムを利用して、移動設備１６のディスプレイ上で、商品相関情報を表示して、移動設備１６が属する使用者に見せ、且つ、移動設備１６は、アプリケーションサーバー１４から、対応する電子クーポン券を取得する。
移動設備１６のディスプレイ上で、商品相関情報を表示する方式は、アプリケーションサーバー１４により、自主的に、情報を、移動設備１６に提供して表示するもの、移動設備１６が、需要を、アプリケーションサーバー１４に発信して、アプリケーションサーバー１４に、さらに、情報を、移動設備１６に提供して表示させるものがあり、以下で説明する。
第一種の表示方式中、アプリケーションサーバー１４は、使用者の個人データに基づくと共に、アプリケーションプログラムを利用して、自主的に、移動設備１６のディスプレイ上で、使用者に適合する商品相関情報を表示する。たとえば、使用者が女性であるとき、アプリケーションサーバー１４は、ディスプレイで、女性に適合する商品相関情報を表示し、使用者が男性であるとき、アプリケーションサーバー１４は、ディスプレイで、男性に適合する商品相関情報を表示する。
第二種の表示方式中、使用者は、移動設備１６を操作して、アプリケーションプログラムを利用して、第一需要を、アプリケーションサーバー１４に発信して、アプリケーションサーバー１４を駆動し、移動設備１６のディスプレイ上で、商品相関情報を表示する。
【００２８】
続いて、ステップＳ２４に示されるように、移動設備１６は、商品相関情報にしたがって、対応するネット商品を取得して、ネット商品、および、電子クーポン券を利用して、取引サーバ１２と、消費取引行為を完成し、且つ、消費取引行為を完成する取引サーバ１２は、電子クーポン券に基づいて、使用者に対し、ギフトフィードバックサービスを提供する。
消費取引行為は、使用者が、現金取引、クレジットカード取引を利用、または、第三者オンライン決済プラットフォームを通じて、商品費用を、割引価格で、取引サーバ１２が対応するアカウント中に保存する。たとえば、使用者が、移動設備１６のディスプレイ上の商店相関情報を見た後、移動設備１６を操作し、このネット商品を選択すると共に、電子クーポン券と、直接、アプリケーションサーバー１４と接続する取引サーバ１２に送信して、消費取引行為を完成する。ここで同時に、消費取引行為を完成する取引サーバ１２は、電子クーポン券に基づいて、使用者に対し、ギフトフィードバックサービスを提供する。ネット商品の消費取引行為完成後、アプリケーションサーバー１４は、個人データベース１８に基づいて、使用者の宿泊地を探し、一定期間中に、担当者を派遣して、このネット商品の実体物をこの宿泊地に送る。
【００２９】
最後に、本発明が提供する消費システムは、生活サービス類の産業、たとえば、飲食、レストラン、美容、ＳＰＡやジム等に応用できる。図１を参照する。レストランを例とすると、実体レストラン相関情報を、企業相関情報として、企業データベース１０中に保存し、企業相関情報の企業は実体レストラン相関情報の実体レストラン、商品データは実体レストラン中の実体メニューデータで、実体メニューデータは、たとえば、各言語のメニュー名を含む。
【００３０】
実施工程中、まず、アプリケーションサーバー１４は、アプリケーションプログラムを利用して、移動設備１６のディスプレイ上で、実体レストラン相関情報を表示して、移動設備１６が属する使用者に見せる。
移動設備１６のディスプレイ上で、実体レストラン相関情報を表示する方式は、アプリケーションサーバー１４により、自主的に、情報を、移動設備１６に提供して表示するもの、移動設備１６が、需要を、アプリケーションサーバー１４に発信して、アプリケーションサーバー１４に、さらに、情報を、移動設備１６に提供して表示させるものがあり、以下で説明する。
第一種の表示方式中、移動設備１６は、自己所在位置を検出することができ、アプリケーションサーバー１４は、自主的に、アプリケーションプログラムを利用して、この位置を取得し、アプリケーションプログラムを利用して、移動設備１６のディスプレイ上で、この位置に対応する実体レストラン相関情報、および、表示される実体レストラン相関情報が対応する実体レストランからこの位置までの交通方式を表示する。この交通方式は、たとえば、バス路線、汽車路線、地下鉄路線や飛行機のフライト等である。アプリケーションサーバー１４は、すでに、移動設備１６の現在の所在位置、および、移動設備１６を携帯する使用者が到達したい実体レストランの位置を知っているので、もっとも便利である、または、最短経路や方式を、移動設備１６に正確に提供して、使用者に見せることができ、また、即時通信チャネルと合わせて、専属スタッフによりサービスを組み合わせて、使用者の交通上の困難を解決する。
第二種の表示方式中、アプリケーションサーバー１４は、使用者の個人データに基づくと共に、アプリケーションプログラムを利用して、自主的に、移動設備１６のディスプレイ上で、使用者に適合する実体レストラン相関情報を表示する。たとえば、使用者の旅行目的地が北海道である時、アプリケーションサーバー１４は、ディスプレイで、北海道の実体レストラン相関情報を表示する。
第三種の表示方式中、使用者は、移動設備１６を操作して、アプリケーションプログラムを利用して、第一需要を、アプリケーションサーバー１４に提供して、アプリケーションサーバー１４を駆動し、移動設備１６のディスプレイ上で、実体レストラン相関情報を表示する。
【００３１】
続いて、移動設備１６は、実体レストランデータにしたがって、対応する実体メニューデータを取得する。たとえば、使用者が、移動設備１６のディスプレイ上の実体レストラン相関情報を見た後、対応する実体レストランを探して進入する。実体レストラン相関情報は、実体レストラン中の各種実体メニューの図、および、対応する実体メニューデータとなるメニュー名を含み、且つ、このメニュー名は、アプリケーションサーバー１４により、使用者の国籍に基づいて、この国の言語に対応する料理名を、移動設備１６のディスプレイに提供して表示する。
特定メニュー名に対し、アプリケーションサーバー１４は、移動設備１６のディスプレイ上で、これらのメニュー名に対応する電子クーポン券を表示して、移動設備１６が選択使用でき、この電子クーポン券は、レストラン店員に見せて、割引してもらうことができる。
【００３２】
総合すると、本発明は、移動設備のディスプレイ上に、自主的に、著名で信頼できる商店を提供し、特に魅力のある商品情報を選択して、フィードバックと代理購入サービスを提供して、使用者の消費要求を満足させると同時に、電子クーポン券を提供して、チラシクーポン券の製作コストを減少させる。
【符号の説明】
【００３３】
１０  企業データベース
１２  取引サーバ
１４  アプリケーションサーバー
１６  移動設備
１８  個人データベース
【図１】
2016103256.tif 000003
【図２】
2016103256.tif 000004
【図３】
2016103256.tif 000005
【図４】
2016103256.tif 000006